(57)【要約】【課題】水処理設備内を流れる水のエネルギーをより有効な形で電力に換えて電力消費を削減するようにした発電装置を提供することにある。【解決手段】曝気槽、沈澱池など複数の経路から流出水のある処理池に、前記経路のうち複数の経路に対応して水車羽根を回転自在に装備し発電可能に構成した。【選択図】図１
2008133819.tif 000002
【特許請求の範囲】
【請求項１】
曝気槽、沈澱池など複数の経路から流出水のある処理池に、前記経路のうち複数の経路に対応して水車羽根を回転自在に装備し発電可能に構成した発電装置。
【請求項２】
請求項１に記載の発電装置において、水車羽根は、傾斜軸を含む縦軸状に支持されるとともに上下複数段に配備されてこれら上下の水車羽根へは複数の経路からそれぞれ流出水が誘導されるようになっている発電装置。
【発明の詳細な説明】
【技術分野】
【０００１】  本発明は、曝気槽や沈澱池などの処理池に構成される発電装置に関する。
【背景技術】
【０００２】  下水処理設備の沈澱池においては、汚泥が沈降しその汚泥はかき寄せ機によりピットまでかき寄せられるようになっている。また、その水面に浮遊するスカムに対しては、スカム除去装置により回収除去されるようになっている。
【発明の開示】
【発明が解決しようとする課題】
【０００３】  これらの装置は、電力で駆動されるが、その電力は専用に供給されるもので、全く無駄であるがその有効な対策もなされていない。
上記に鑑み、本発明は、水処理設備内を流れる水のエネルギーをより有効な形で電力に換えて電力消費を削減するようにした発電装置を提供することにある。
【課題を解決するための手段】
【０００４】  上記課題を解決するため、請求項１記載の発明は、曝気槽、沈澱池など複数の経路から流出水のある処理池に、前記経路のうち複数の経路に対応して水車羽根を回転自在に装備し発電可能に構成した。
請求項２記載の発明は、請求項１に記載の発電装置において、水車羽根は、傾斜軸を含む縦軸状に支持されるとともに上下複数段に配備されてこれら上下の水車羽根へは複数の経路からそれぞれ流出水が誘導されるようになっている。
【発明の効果】
【０００５】  本発明によれば、曝気槽、沈澱池など複数の経路から流出水のある処理池に、前記経路のうち複数の経路に対応して水車羽根を回転自在に装備し発電可能に構成したので、水処理設備内を流れる水のエネルギーをより有効な形で電力に換えて電力消費を削減するようにした発電装置を提供することができる。
【発明を実施するための最良の形態】
【０００６】  以下図示する実施形態により本発明を詳細に説明する。
尚、以下の各実施形態で説明する個々の開示例は他の実施形態にも適用されるものとする。
図１（平面図）および図２（図１のＩＩ方向矢視図）は、本発明に係る好適な一実施形態で、同実施形態において１は曝気槽で図示では同曝気槽１の一コーナーを示す。この曝気槽１では、一般的に、前記一コーナー部分において隣合うような形で第１流出口２と第２流出口３が開口し、そのうち第１流出口２からは最初沈澱池からの汚水が流入し、ここでは樋状の第１ガイド４を突設して図１の矢印Ｘのように向きを調整して槽内に導くようにしてある。
また、第２流出口３からは、最終沈澱池のピット内に溜まる汚泥（活性汚泥）を含む混合水である汚水が第２ガイド５を通じて矢印Ｙのように向きを調整されて槽内に導かれるようにしてある。
尚、第１流出口２および第２流出口３は開口位置や開口寸法、高さなど構成は異なるが図面では略同じ構成であるとして示してあり、両者２，３の構成がかなり異なる態様であってもガイド４，５の形状を対応構成することで対処できるものとする。【０００７】  ７は曝気水面で、実際には槽底の散気装置（図示省略）からのエアーにより常時曝気攪拌状態にある。８は支持梁で、同支持梁８は、Ｈ型鋼（あるいは溝型鋼やアングル鋼など）を用いて構成されるとともに図１のようにコーナーに斜め方向に跨るようにして両端の取付座９により上壁１０の上にそれぞれ固定設置されている。この支持梁８は、側壁１１に固定することもある。また、同支持梁８は、２本など複数本の平行な梁部材からなることもある。【０００８】  同支持梁８の長手方向２個所には長手方向に直交するようにして直交梁１３が張り出し、同直交梁１３から合計４本の垂材１４…を備えることでこれらの下部に水車軸受１５の一対が同軸状に配備されている。これら軸受１５を介して単体の水車１７が回転自在に支持されている。
同水車１７は、ドラム１８の外周に水車羽根１９…を突設するとともに軸方向両端にフランジ２０と回転軸２１を備え付けたものである。前記両ガイド２，３はこの水車羽根１９…に直交して対面するように設けられて各汚水をＸ，Ｙ方向から流下させ流し当てることで図１の矢印Ａ方向に強制回転させるようになっている。【０００９】  回転軸２１の外端には第１ホイール２３が取り付けられる一方、直交梁１３と補助梁２４上の上軸受２５，２５間に支持された支持軸２６まわりの第２ホイール２７間がタイミングベルトなどの伝導材２８で連動自在とされている。
そして、支持軸２６回りの発電機３０が駆動されて発電機能を発揮するようになっている。３１はカバーで、発電機３０などを覆うものであり、同カバー３１は図１の全体を覆う程度の大きな屋根材で構成してもよい。この場合の屋根材はその上にあるいはそれ自体をソーラーパネルあるいはフィルムシートとしてもよい。３２は分電盤である。【００１０】  図１の矢印Ｘ，Ｙのように流出する汚水は水車羽根１９に流し当てられることにより２つの流れエネルギーにより倍力化されたものとして矢印Ａ方向に強力に回転させられるとともに回転軸２１から第１ホイール２３・伝導材２８・第２ホイール２７を介して発電機３０により発電をする。
その発電電力は前記した、例えば、モノレール式汚泥かき寄せ装置やスカム除去装置などの運転電力として或いはその他の必要な電力として広く利用可能である。矢印Ｘ，Ｙのように流出する汚水は水車羽根１９に流し当てられたあと、曝気水面に落下するがその間エアーが混合するので落下した後には曝気水中にエアーを供給するものとなり、微生物の活性化により浄化を助長するために寄与する。特に、Ｙ流は、従来であれば曝気槽１内に単純に落下攪拌を受けるものであったが、最終沈澱池内からの活性汚泥を含むもので、本実施形態によれば【００１１】  図３および図４は水車を縦軸型とした実施形態で、同実施形態は、曝気槽３５のコーナーに第１流出口３６と第２流出口３７を前記と同じく既設として開設しており、第１流出口３６に連続して付した第１ガイド３８は高いレベルを維持するように、また第２流出口３７に付された第２ガイド３９はそれより１段低いレベルに出口開口がくるように下向き傾斜状のものになっている。４０は曝気水面である。【００１２】  ４１は支持梁で、コーナーに斜め向きに配置されているが、仮想線のように曝気槽３５全体を跨ぐように設けてもよく、その長手方向中間からは固定軸４２が縦軸として垂下されている。
この固定軸４２の下端には、固定フランジ４３が止めピン４４により固定されてその上面に固定側マグネット４５…が多数配列される一方、固定軸４２回りには、回転パイプ４６が挿通されてその下端に設けた回転フランジ４７には回転側マグネット４８…が多数対向配備されている。固定側と回転側マグネット４５，４８は反発し合う関係にあることで回転フランジ４７を介して回転パイプ４６は常時浮上して軽快に自由回転可能になっている。【００１３】  その回転パイプ４６の上下間外周には、上下２段の水車羽根５０，５１とフランジ５２…を備えた上下一体型（あるいは上下別体型）をした上水車５３、下水車５４が水平面内で回転し得るように設けられている。上水車５３および下水車５４は、胴部５５を備えるとともにその外周には上水車羽根５０と下水車羽根５１が流入水を抱え持つように湾曲羽根として設けられている。この湾曲羽根５０，５１は、図３に仮想線で示すように外形側に偏寄して汚水を多く溜めるような形状のものにすればトルクがより大きくなる。【００１４】  水車羽根５０，５１は、その直径が１ｍあるいは１．５ｍさらには２ｍ、３ｍ…等特に大きく設定し、固定軸４２回りの回転トルクが大きく得られるようにしてある。例えば、曝気槽３５の側辺より少し小さい程度の大きな水車羽根５０，５１とすることもある。特に、水車羽根５０，５１は軽量化のため樹脂製あるいはアルミ合金製、木製などとすることが有利である。【００１５】  上水車羽根５０に対する第１ガイド３８は、上水車羽根５０に汚水を誘導すべく羽根回転軌道に対し接線方向を向くとともにその底路を上下中段のフランジ５２の高さに合わせて臨ませてある。
そして、上水車羽根５０に一旦流し当たった汚水を直ぐに外部に排除するのでなく一定時間持ち回して羽根５０に回転エネルギーを与えるように上段シュラウド５８が略３０度の周範囲を覆うべく円弧状に伸びている。この３０度の角度は４５度や９０度、さらに大きい角度に設定してもよい。その途中で汚水を周孔から排出可能にしてもよい。【００１６】  下水車羽根５１に対する第２ガイド３９は、下水車羽根５１に汚水を誘導すべく羽根回転軌道に対し接線方向を向くとともにその底路を上下最も下段のフランジ５２の高さに合わせて臨ませてある。
そして、下水車羽根５１に一旦流し当たった汚水を直ぐに外部に排除するのでなく一定時間持ち回して羽根５１に回転エネルギーを与えるように下段シュラウド５９が略６０度の周範囲を覆うべく円弧状に伸びている。この６０度の角度は９０度、さらに大きい角度に設定してもよい。その途中で汚水を周孔から排出可能にしてもよい。
尚、胴部５５内には、図３に示すように、セラミック粒、炭化材、あるいは麦飯石などの浄化促進材６０…を充填してメッシュなどで通気質にした胴部５５を通じて汚水が接触し得るようにしてもよい。また、羽根５０，５１は、芯板表面にセラミックなどの浄化促進材を付したものにしてもよい。羽根５０，５１自体に通水小穴を多数開けることは自由である。【００１７】  前記回転パイプ４６には第１ホイール６１が取り付けられ、伝導材６２を介して第２ホイール６３を駆動させるとともにその上の発電機６４を連動して発電可能に構成してある。
尚、図４の左欄に示すように、回転フランジ４７側から垂直に下部軸６６を伸ばしてその下端を軸受支持するとともに下部軸６６回りにスクリュウ式攪拌手段（上昇あるいは下降流起生）６７を設けたり左欄のようなフィン式の攪拌手段（上昇あるいは下降流起生）６８を設けてもよい。これらの構成によれば水車羽根による発電と同時に曝気槽内の攪拌が可能になる。【００１８】  図３および図４の実施形態によれば、水車羽根５０，５１を大きな直径のもとに水平回転（斜め軸回転式でもよい）する方式としたので、同じ汚水流入であっても回転トルクが大きく得られる。第２ガイド３９は少し下がるようになっているが第１ガイド３８の方も下がり傾斜状にすれば水車羽根５０への衝動力が大きく得られる。
また、前記実施形態のように、水車羽根５０，５１がマグネットの反発で常時浮上勝手になっているので軽快に回転し流入エネルギーがより効率的に回転エネルギーに変換されるようになる。
尚、図４に仮想練で示すように、落水音や臭い防止のため屋根カバー６９を付してもよい。同カバー６９をソーラー方式にしてもよい。
また、図示はしないが固定フランジ４３と回転フランジ４７との関係を利用して超伝導回転駆動装置を構成してもよい。【００１９】  図５および図６は、他の実施形態を示す。同実施形態は、直径を１〜２ｍ前後に大きくした水車７１が横軸７２回りに支持されるとともにその周部に周羽根７３…をまた側面に側羽根７４…をそれぞれ配備したもので、周羽根７３…には第１流出口７５から第１ガイド７６を通じて汚水が流し当てられる一方側羽根７４…には第２流出口７７から第２ガイド７８を通じて汚水が流し当てられるようになっている。７９は伝導手段、８０は発電機である。
尚、図７に示すように、２つの流出口７５，７７からの汚水を合流させて側方開放状とした周羽根７３に流し当てるようにしてもよい。【００２０】  図８ないし図１０は、他の実施形態を示す。同実施形態は、軸受８１で両端を支持された水車８２を両端のフランジ８３と胴周りの水車羽根８４で構成したものにおいて、一方あるいは双方のフランジ８４の外面に回転側マグネット８５…を配備する一方、フランジ８３の外側に離間して対向配置した固定フランジ８６の面に固定側マグネット８７…を配備してこれら両マグネット８５，８７が図８の右下欄の拡大図のように一方向にのみ反発作用するように構成したものである。これにより汚水が流し当て付けられるエネルギーをさらに加速させるものである。
尚、図１から図１０（図２２から図２８の実施形態も含む）に示す実施形態は、単一流（Ｘ、Ｙのうちの一つの流れ）が注がれる形式の処理池を対象にしても設置されることがある。
また、前記実施形態では主に曝気槽をその対象として設置したが、水処理設備内において汚水や浄化済みの水が流れ落ちる個所であればどこをも対象に設置することができるもので、例えば、沈砂池前の流入水路に流れ込む段階や塩素混和池から流れ出る段階などを対象に設置することができる。このことは以下の例えば、図２２から図２８に示す実施形態でも同様にいえる。【００２１】  図１１（平面図）は他の実施形態を示す。同実施形態は、多列に配された沈澱池９０内に水車９１…を配備してそれぞれ流出口９２から駆動させるようにしたものにおいて、これら水車９１の回転軸９３を共通１本化してその中途から発電機９４に連動させるように構成したものである。回転軸９３は２本など複数に分割してもよく、また発電機９４は複数台でもよい。【００２２】  図１２（平面図）および図１３（縦断側面図）は他の実施形態を示す。同実施形態は、農村などの水路や川での水利発電方式を示す。９６は水路あるいは川で、その中に楔形でせり上がる形をした堰９７が設けられて大きな落差で水が流れ落ちるようにしてあるとともにその下流側には水車９８が設けられて駆動されるようになっている。
この水車９８は図示よりも低く設定することがある。落差を大きくするため堰９７を高くしたことに伴って水路９６の側面には水が漏れ出すのを防止する側板９９が立設されている。
尚、水位を一定化するため、上流には上下調節の可能な水位一定化装置１００が設けられてその上端を高さ制御可能にするとともに誘引した水はバイパス１０１により下流に流すように構成してある。【００２３】  図１４および図１５は他の実施形態を示す。同実施形態は、同じく農村などの水路や川での水利発電方式の一例を示す。１０３は水路で、同水路１０３の末端は、直径数十ｍと大きい平面円形をしたサークル水路１０４を幅１〜３あるいは５ｍのもとに連通状に形成し、その一部の底穴１０５からは外部に抜ける出口水路１０６を連通させて全体水路を構成したものである。さらに、サークル水路１０４の中央には、基礎１０７を介して固定軸１０８を立設し、その回りに回転体１０９を設けるとともにその外周には四方へ伸びるように主アーム１１０を張り出してある。【００２４】  アーム１１０の外端には、垂直な主ステー１１１を介して回転リング１１２を取り付けてあるとともに、同リング１１２を介する下部には、多数の下部ステー１１３を介して水車羽根１１４…が設けられてサークル水路１０４内で回転運動するようになっている。１０５は吊りワイヤ、１１６は締めワイヤである。尚、１１７は伝導手段、１１８は発電機である。固定軸１０８は図１５の右欄のように斜め軸状にしてもよい。【００２５】  図１４の矢印Ｌのように水路１０３から流れくる水がサークル水路１０４内に入ると水車羽根１１４…を駆動して水車全体を矢印Ｒ方向に回転駆動するようになる。そのままではサークル水路１０４内で溜まるので底穴１０５から出口水路１０６へと抜き出すようにしてある。水車全体が回転駆動されることで発電が可能になる。【００２６】  図１７および図１８は、付加的な提案例を示すもので、同例において、１１９はビルなどの壁面で、同壁面１１９には、ブラケット１２０などを介して全面開放型でヒンジ１２１により前面蓋１２２が開閉自在とされた本体ケース１２３が縦長状に取り付けられている。【００２７】  本体ケース１２３内には、上下３列にわたって固定軸１２４…が横架されており、各固定軸１２４回りには図１７の横断面図のように左右に位置をずらせて上段ボス１２５・中段ボス１２６・下段ボス１２７の順に回転自在に設けられているとともに、各ボス１２５〜１２７からはケース外前方へ斜め上がりに張り出される上ポール１２８・中ポール１２９・下ポール１３０がそれぞれ平行になる関係で取り付けられている。
これらポール１２８〜１３０には、それぞれの態様（「地球環境を守ろう！」や「美しい国日本」）などの標示がなされた旗１３１…が取り付けられる一方、図１８の仮想線のように本体ケース１２３内に納まるようになっている。【００２８】  すなわち、下２本のポール１２９，１３０は上向きに納まり上１本のポール１２８は下向きに納まるようにされ、そのため、ケース１２３内にエアーや油圧のシリンダ１３２を備え付け、このシリンダ１３２に第１リンク１３３を介して下ポール１３０を上下させるようにするとともに下ポール１３０と中ポール１２９とを同調リンク１３４でつないである。上ポール１２８からは第２リンク１３５を突設し、同リンク１３５と中ポール１２９との間は逆の方向で回転するように逆回転リンク１３６で連結してある。
尚、各旗１３１には下端縁に錘１３７…が入れられ風でポールにからまず収納が確実に行われるようにしてある。【００２９】  図１７および図１８は旗１３１…が張り出された状態を示し、この状態では錘１３７により旗１３１は安定で美的にそよぐようになっている。夕刻になるとシリンダ１３２がタイマー駆動され、第１リンク１３３が押し下げられる同時に下２本のポール１２９，１３０は上回りに回転し上１本のポール１２８は下周りに回転する。
これらの回転により図１８の仮想線のように各ポール１２８〜１３０はケース１２３内に納まる。ポール１２８〜１３０は全て同じ方向に納まるようにしてもよい。一方夜が明けて一定の時間になると、制御回路付きタイマー（３６５日カレンダー式タイマー）１４０によりシリンダ１３２が引き方向に駆動されると同時に駆動モーター１３８と伝導手段１３９により前面蓋１２２が開かれ、ポール１２８〜１３０を介して旗１３１が突き出すようにされる。
尚、緊急地震警報あるいは内蔵式Ｐ波感知装置に連動して旗１３１…が激しくあるいは緩徐に上下に振れて地震の来ることを知らせるように構成してもよい。また、これらの電力はソーラー発電によるものでもよい。【００３０】  図１９の提案例は、ポール１４２に第１リング１４３と第２リング１４４を介して旗１４１の紐１４５を結びつけるようにするとともに旗１４１の裾に錘１４６…を備えることで常に旗１４１が垂れ下がった好ましい状態を維持するものとした例である。１４７はストッパで、第１リング１４３を位置決めするものである。
本例は、ポール１４２に黄金玉１４８の挿し棒１４９を嵌め込む方式で第１リング１４３がポール１４２先端段差に引っ掛かるものであったが、上欄図のようにポール１４２の先端に直接黄金玉１４８が取り付けられている場合には、第１リング１４３を係止するストッパ１４７が必要となる。
尚、同ポール１４２のパイプ内にタイマー制御による風を通して噴気口１５０…より旗１４１を靡かせるようにしてもよい。この実施形態は、図１８および図１９のような自動式のもののほか、玄関先に固定設置するタイプのものにも適用があることは勿論である。【００３１】  図２０（平面図）および図２１（立面図）は、縦軸支持方式の水車に複数（２種類）の汚水流を流下させて衝当させることにより発電する装置の他の実施形態を示す。同実施形態は、曝気槽２００のコーナーに第１流出口２０１と第２流出口２０２を前記と同じく既設として開設しており、第１流出口２０１は高く第２流出口２０２はそれより少し低く示してあるが、逆のこともあり双方が同じ高さのこともある。
２０３は第１ガイド、２０４は第２ガイドであり、それぞれは後述する水車羽根の接線方向に流入水を投入するようにするもので、この実施形態では、特に、各ガイド２０３，２０４内に沿った形の複数条の整流化板２０５、２０６を配すことで変曲流により乱流化しがちな汚水をここで整流化して本来保有する流れエネルギーが対象である水車羽根に有効な形で作用するようにしてある。２０７は曝気水面である。【００３２】  ２０８は支持梁で、コーナーに斜め向きに配置されているが、曝気槽２００全体を跨ぐように設けてもよい。この支持梁２０８の長手方向中間からは固定軸２０９が縦軸として垂下されている。
この固定軸２０９の下端には、受筒２１０が止めピン２１１により固定されている。固定軸２０９回りには、樹脂ライニングパイプ（図示省略）を介して回転パイプ２１２が挿通されて回転しながら上下に遊動可能に構成されている。【００３３】  回転パイプ２１２の外周には、上下１段（あるいは上下２段）の水車２１３が水平面内で回転し得るように設けられている。同水車２１３は、円形の底板２１４と、外周に配列した水車羽根２１５…と、その水車羽根２１５の内周に丸胴状に設けた胴部２１６、および内部に放射状に設けた支持リブ２１７とを有する。
底板２１４は水平な平坦面とされているが、中央がコーン状に凹んだものあるいは凸状をなすものなどでもよい。また、底板２１４には、図２１の左下欄に示すように複数の凹所２１８に常時エアーが確保されるようにして例え後述する水車浮上用のスカートが破損しても最低限度のエアーが浮上用として機能するようにしてもよい。
水車羽根２１５は、流出水を抱え持つように湾曲羽根とし、特に、同実施形態の羽根２１５は、外径端が内径端よりも大きく回転方向に先行するように斜め配置になっており、これにより、流出した汚水は外径方向に押しやられて第１ガイド２０３に続く第１シュラウド２２０および第２ガイド２０４に続く第２シュラウド２２１に沿った方向へ流される傾向となり、流出水が最も外周に作用することから大きな回転トルクを発生するようになる。
水車羽根２１５は平坦な斜め板でもよい。尚、水車２１３は、その直径が１ｍあるいは１．５ｍさらには２ｍ、３ｍ…等特に大きく設定してあるが、前記水車羽根２１５の径方向の寸法は、水車２１３の半径の約１／４ないし１／６で前記実施形態よりも小さく設定されている。汚水が水車羽根２１５の前後間で乱流を生じ難くしかもより外径寄りに汚水が集中して作用するようにしてある。【００３４】  前記底板２１４の全周には、スカート２２３がゴム・樹脂・金属製などにより垂れ下げられている。このスカート２２３は内部に曝気槽内から発生するエアーを溜めて水車２１３を浮上させより軽快に水車２１３を回転させるためのものである。
同スカート２２３は固定軸２０９に同心状であるので回転の抵抗とはなりにくい。スカート２２３と底板２１４とは密閉空間を形成するので、全くエアーが漏れない構造になっているが、一定圧以上になるとその一部をリリーフさせて水車高さを一定化するようにすることもできる。【００３５】  尚、回転パイプ２１２の外周上部には第１ホイール２２４が設けられて発電機２２５を駆動する第２ホイール２２６に伝導ベルト（タイミングベルト）２２７で連動するようにしてあるが、水車２１３が上下する関係で第１ホイール２２４も上下し、それを吸収するため第２ホイール２２６を左欄上に示すように同ホイール２２６を幅広状にしてベルト２２７が上下し得るようにしてもよい。
一方、第２、第１ホイール２２６，２２４および回転パイプ２１３は高さ変動しないようにし、水車２１３およびスカート２２３側が上下するように構成してもよい。
また、第１、第２シュラウド２２０，２２１を省略し、水車羽根２１５…を備えた水車２１３の外周に水車２１３とともに回転する全周カバーを設けるとともにその下部にスカート２２３を備え付けたものとするとともに流出汚水を周部でなく上方から投入されるようにしてもよい（図２３の実施形態参照）。
この場合、全周カバーの周位に排水穴を多数設けて回転とともに投入された汚水が排出されるようにする。【００３６】  図２２および図２３は、浮上により軽快に回転するようにした縦軸回り回転式の水車の羽根に対し流出汚水を上から投入するとともに水車中央から排出させるようにした実施形態を示す。
２３０は第１流出口、２３１は第２流出口で、それぞれ第１ガイド２３２と第２ガイド２３３を湾曲樋状に備える。各ガイド２３２，２３３の先端底面は円弧状の凹欠部ａを備えて流出汚水流をより集束化して水車羽根に衝当させるようにしてある。ガイド２３２，２３３の底面はＵあるいはＶ溝状に形成して流れをより集束化するようにしてもよい。
２３４は支持梁で、その長手方向中途には固定軸２２９が垂下して固定され、その外周には樹脂ブッシュ２３５を介して昇降運動可能な樹脂製回転パイプ２３６が設けられている。回転パイプ２３６の上端には駆動ギア２３７が取り付けられる一方、支持梁２３４上の発電機２３８から伸びた軸回りにはギア２３７に上下移動可能に噛み合う従動ギア２３９が設けられている。【００３７】  ２４１は水車で、同水車２４１は、丸形漏斗状をした底板２４２と、同底板２４２の中央に開けた排水口２４３を上端に有する排水パイプ２４４と、底板２４２の外周に一体に立ち上がる周板２４５とを備える。底板２４２と回転パイプ２３６とは複数枚のサポートアーム２４６で一体に結合されるとともに、底板２４２の外周上には周板２４５にも一体をなすように多数枚の水車羽根２４７…が配列されている。
この水車羽根２４７は、汚水が衝当する四角形の部分と衝当後の流れを受けながら前記排水口２４３へと導く三角形をした部分の１枚板からなる。尚、前記サポートアーム２４６の外径側に相当する部分の水車羽根２４７は四角形をした部分のみからなる。
また、図２２に仮想線で示すように、水車羽根２４７はｂあるいはｃのように求心方向に対し傾斜してもよく、同図右欄にｄあるいはｅで示すように湾曲状をなすものにしてもよい。
これら水車羽根は底板２４２に対し垂直面状に立ち上がるが、右欄に示すように流入水を抱え込むように下端基部が上端よりも回転方向に先行して位置する傾斜面状ｆに配備してもよい。この傾斜面は湾曲するものｆ′にしてもよい。【００３８】  前記水車２４１の底部には、スカート２４９が垂設され、水車２４１の底部空間が浮上用のエアー溜め空間とされている。この空間には、曝気槽内で発生する散気によるエアーが入って溜まりその浮力により水車２４１が持ち上げられ軽快な回転を促進する。水車２４１は上下するがその際ギア２３７はギア２３９に対して回転を伝えながら上下スライドにより吸収する。
固定軸２２９の下端には、図２３の矢印のように流れ来る汚水を排水パイプ２４４内へ勢いを付けて流下させるようにラセンガイド２５０が取り付けられている。
尚、ラセンガイド２５０の有無に拘らず、固定軸２２９の下端あるいは水車２４１の下端には図２３に仮想線で示すような反転ガイド２５１を付けておけば浮上空間内にエアーを導くことができるとともに活性汚泥を含む汚水を曝気槽内に誘導することができる。ラセンガイド２５０と反転ガイド２５１とを組み合わせることでエアーの発生量は増加し乱流化した汚水を曝気槽内に誘導できる。【００３９】  そうしたことから図２３にＥで示す組は単独で装置を構成することができるし、Ｆの組を組み合わせることもできる。Ｆの組は、曝気槽の底に立てたガイドパイプ２５２で同パイプ２５２内に流下するエアー混じりの汚水を誘導してその途中からエアーを誘出させるとともに上端から汚水を排出するようにしたものである。２５３は逆流阻止ガイド、２５４はその下側に開けたエアー流出口である。【００４０】  図２４は、縦軸である固定軸２５７の回りに回転と浮上の可能な軽量一体型の水車２５８を備え、同水車２５８内にリブ２５９と多数枚の水車羽根２６０…を配備するとともに、水車２５８の底部を凹み状にしてエアー溜まり２６１を形成してその外周をスカート２６２で取り囲んで水車２５８の浮上を可能にした実施形態である。
底板２６３はその中央が膨らみ外周部分が平坦になっているので、ガイド２６４からの１種あるいは複数種の流出水は水車羽根２６０…に衝当しても中央へは逃げず、従って、トルクを大きく発生する外周に留まる傾向になる。外周に投入された汚水は、周板２６５の孔（メッシュでもよい）を通じて矢印のように一部ずつ回転により排出される。この孔は開口度の調節を可能にしてもよい。
尚、水車２５８の回転パイプ２６６と固定軸２５７との間にはエアーが入り込むようにしてもよい。また、右欄に示すように、周面を開放した底板２６８上に水車羽根２６９を斜め向きに配列した水車２７０に対しその上方を横切るガイド２７１を通じて流出汚水を噴射するようにしてもよい。２７２はスカートである。【００４１】  図２５は、その水車２７６の中央底部にフロート２７８を回転に抵抗の少ない同心配置して浮上させるようにした実施形態を示す。スカート２７７は省略してもよい。前記フロート２７８は、発泡樹脂の他、中空型樹脂や金属製のものでもよく、また、形状は逆円錐形の他、丸筒などでもよい。【００４２】  図２６は、縦軸である固定パイプ２８０に水車羽根２８１を備えた水車２８２の回転軸２８３を浮上させながら回転するように支持したものにおいて、特に、曝気水面２８４上にフロート２８５を浮設し、同フロート２８５の中央に球軸受からなるピボット２８６を水密式に設け、同ピボット２８６に前記回転軸２８３下端を支持させて常時軽快に回転運動させるようにしたものである。
前記のように固定側がパイプ２８０で回転側が軸２８３であることもあり、このことは他の実施形態でも同様に適用できる。【００４３】  図２７は、縦軸である固定パイプ２８８に水車羽根２８９を備えた水車２９０の回転軸２９１を浮上させながら回転するように支持したものにおいて、特に、曝気槽内にフロート２９２を浮力発生状態で沈め込み、同フロート２９２の中央に球軸受からなるピボット２９３を水密式に設け、同ピボット２９３に前記回転軸２９１下端を支持させて常時軽快に回転運動させるようにしたものである。【００４４】  図２８の実施形態は、支持梁２９６に斜め固定軸２９７を固定し、同固定軸２９７回りに回転パイプ２９８を介して底板２９９・周胴板３００・水車羽根３０１を備えた水車３０２を斜め軸回りに回転自在にしたものである。
３０３は流出水のガイド、３０４はフロート、３０５はピボットであり、回転パイプ２９８の下端軸がピボット３０５を介してフロート３０４からの浮力を受けて水車３０２を常時浮上させる仕組みになっている
この実施形態によれば、水車羽根３０１が上がったところに流出水が投入されさらに同流出水の落差分のエネルギーを利用して水車３０２を回転作用させるので、流出水のもつ位置エネルギーをうまく利用して水車３０２を効果的に回転させることができる。
尚、同図右下欄に示すように、水車３０２の底板の底部に周方向に連続状をなす浮力発生体（発泡体や中空構造体）３０６を備え付けて水車３０２を常時浮上させるようにしてもよい。この場合、前記フロート３０４を組み合す場合と浮力発生体３０６単独で構成する場合とがある。【００４５】  図２９および図３０は付加的な提案例を示すもので、ビル３０８の外壁に既設として主看板（サイン）３０９が取り付けられているものに支持軸３１０回りに回転する旗３１１などの標識幕付きポール３１２を出し入れ自在とするもので、主看板３０９の裏側にこれらの装置を設置すると、出したときも引っ込めたときもこれら装置が裏方から見えてしまう不都合がある。
そこで、この提案例では、出したときも引っ込めたときもこれら装置が裏方から見えないように、主看板３０９の裏方に離間させた補助看板３１３を隠し役として平行に配したものである。主看板３０９はそのままとしこの補助看板３１３の方にポール３１２を出し入れ駆動させる機構や制御部などを内蔵するのが好ましい。
尚、図３０に仮想線で示す３１４は弾性カバーで、主看板３０９と補助看板３１３の外周を含むそれらの間を覆うゴム膜めようなもので、両看板３０９，３１３間に相当する個所に切れ溝を有し、その溝を通じてポール３１２が出入りする一方ポール３１２が収納された状態では外部から保護されるようにしたものである。切り溝は、ポール３１２の通過に問題はないが旗３１１が通過して収納される場合に切り溝に挟まれて一部が外部にはみ出した不体裁な状況になるおそれがあるので、切り溝の幅を旗３１１が余裕をもって通過させ得る幅にしておく必要がある。【００４６】  図３１も付加的な提案例を示すもので、ビル３１６の外壁に縦向きのガイドレール３１７を固定して上下のホイール３１８間に無端伝導材３１９を掛け渡して地上に近い高さに設けたハンドル３２０を回すことで伝導材３１９を上下いずれにも駆動させることができるようにしてある。その伝導材３１９にはローラー３２１を介してガイドレール３１７に沿って上下する昇降ライナー３２２が取り付けられている。【００４７】  前記ビル３１６の外壁には既設のものとして主看板（サイン）３２３が取り付けられて機能しており、その上を利用して他のサインを構成してある。このサインは、主看板３２３上に固定された収納ケース３２４と、昇降ライナー３２２に同行自在に取り付けられたカバー３２５とを備えるとともに、カバー３２５と収納ケース３２４との間には、前後２条の線条材３２６が図３１のように引っ張られた状態とケース３２４内に収納された状態とを得るように設けられ、同線条材３２６間には水平方向の２本の吊り受け材３２７を介して旗などの標識幕３２８が吊り下げられている。
尚、線条材３２６の下端と収納ケース３２４との間には線条材３２６を過度の引っ張りなく緊張良く張るための弾性材３２９が設けられている。
線条材３２６それ自体を伸縮自在な素材で構成してもよい。【００４８】  そして、同図の状態はハンドル３２０の操作により昇降ライナー３２２が上昇されカバー３２５を介して線条材３２６が上向きに引き上げられた状態を示し、この状態では標識幕３２８が遠くから視認できる状態になっている。
ハンドル３２０を逆回転させることで昇降ライナー３２２が下がり、それとともに線条材３２６が弛んで標識幕３２８とともに収納ケース３２４内に下がりその上からカバー３２５が被さって収納状態とされる。この収納状態を保持するためカバー３２５と収納ケース３２４間をマグネット（図示省略）で吸着するようにしてもよい。【００４９】  図３２および図３３は、やや急傾斜の川（水路）３３０を利用して設置された水車発電装置についての実施形態を示す。同装置は、川３３０の両脇に対向状に立設配備した支持杭３３１と、これらの杭３３１にアーム支点３３２を介して上下運動可能に取り付けられた左右一対のアーム３３３と、これら両アーム３３３の下流側端部間を介して横軸回りに回転自在に取り付けられた水車３３４とを備え、特に、前記アーム３３３の底部には河川流に対して浮上する第１フロート３３５を装備するとともに、前記水車３３４の胴内にも第２フロート３３６を内蔵してこれら３３５，３３６により水車３３４が常時河川流に浮上しながら軽快に回転・発電可能に構成されたものである。
尚、第１フロート３３５は高さ調節可能にすれば水車３３４を好適な高さで効率回転させることができる。【００５０】  図３４および図３５は他の提案例を示す。同提案例は、ビル３４０などの建造物の窓口の一部開かれた側部開口に収納装置３４１をセットし同装置３４１を介して旗３４２や幟などの掲示物を出し入れ自在としたものである。【００５１】  収納装置３４１は、前後が開口して縦長枠状に形成された取付枠３４３と、同取付枠３４３の上部に嵌め込まれる閉止カバー３４４と、縦長で奥行きのある直方体のケース３４５を備え、同ケース３４５は、樹脂、木板あるいは薄金属板などにより形成されるが、その外部に向く開口３４６から入る雨水がビル室内に浸入しないように水密型になっている。
尚、取付枠３４３は、窓枠３４８を開閉案内する固定枠３４９の内高さにフィットさせるため高さ調節自在に上下２分割式に構成することができる。前記ケース３４５の内面底壁は水平でなく前傾状ａに形成すれば雨水が自ずと外部に排除される。【００５２】  ケース３４５は、窓枠３４８の一部を図３４のように開けその側縁と固定枠３４９との間に適合させて取付枠３４３を装着するとともに同取付枠３４３を介して閉止カバー３４４を適合式にセットして残る縦長状の開口を介して装着される。【００５３】  ケース３４５内の上側には、ポール３５１を介して旗３４２を出し入れするための機構が組み込まれている。３５２はガイドハウジングで、図３４の右欄に示すように、リップ付き溝型アルミ合金で形成され、その溝側を下に向けるようにしてケース３４５内の上部に水平に固定されている。
ガイドハウジング３５２には、先側に４点配置をなして鼓形のゴム製などのガイドローラー３５３…がそれぞれ縦軸状に配備され、これらの間を介してポール３５１が進退自在に案内されるとともにガイドローラー３５３の中の１つが正逆回転制御される駆動源（減速機付きモーター）３５５により駆動ローラーとして機能するようになっている。旗３４２の吊持基部はガイドハウジング３５２の溝３５６内を通して前後するようになっている。【００５４】  ポール３５１の尾端部には作動片３５７が設けられてケース３４５の前後に配備したスイッチ３５８を作動させることで駆動源３５５を正逆に回転切換可能とする。【００５５】  図３４および図３５の実線（破線）の状態はポール３５１がケース３４５内に納まった状態を示し、例えば、タイマー制御により朝○時になると自動的に駆動源３５５がＯＮとなってガイドローラー３５３を駆動させ、ポール３５１が進出することで旗３４２が掲出される。ポール３５１が進出した端部では、作動片３５７がスイッチ３５８を蹴ることで駆動源３５５の作動が停止するとともに、一定時間が経過すると同駆動源３５５が逆回転して元に復帰する。復帰終了は作動片３５７がスイッチ３５８を蹴ることで得られる。【００５６】  図３６は他の提案例を示す。同提案例は、前記と同じく一方の窓枠を少し開いてその隙間に図示装置を嵌め込むようにしたもので、ケース３６０の下部に横軸３６１を設けて駆動源３６２により旗３６３付きポール３６４を起倒自在として出し入れできるユニットを構成したものである。同ケース３６０の場合も室内に雨水が入らないように水密式にしてある。同ケース３６０はＦＲＰ製でもよい。【００５７】  図３７は他の提案例を示す。同提案例は、幟３６７を扇面の軌道上で左右に連続的に振る装置で、設置面３６８上に錘３６９付きバランス保持板３７０により多少の風があっても自立するように設置したケース３７１と、同ケース３７１内に横架した駆動軸３７２と、同駆動軸３７２を連続的に往復駆動させる駆動源３７３と、駆動軸３７２の回りに同調回転可能に取り付けた基部ボス３７４と、同ボス３７４からケース３７１の長孔を通じて上方に高く伸びたポール３７５とを備える。【００５８】  図示した装置は、錘３６９付きバランス保持板３７０により安定しており、その状態で駆動源３７３が往復駆動されるとポール３７５を介して幟３６７が図の矢印のように往復して振られる。従って、イベントや祭を行う際や神社等に設置すれば幟３６７がゆれ動くので非常に目立ち、集客力が増す。
尚、同装置を複数基独立して設置する他、バランス保持板３７０などの安定化手段を隣同士で連結すれば安定化することができる。ケース３７１を図示よりも長い共用型にしてそこに複数基の幟３６７を揺れ動くように設けてもよい。
また、前記例ではポール３７５を往復駆動するようにしていたが、上からみて円を描くように回転させてもよい。【００５９】  図３８および図３９は、同じく農村などの水路や川を流れる水の流れエネルギーを利用した水利発電方式の他の例を示す。図３８は図３９の平面図、図３９は図３８のＨ−Ｈ線断面図である。４００は水路で、同水路４００は、新規に設けたものあるいは旧来からの水路の中途で構成することができる。同水路４００の末端には、直径数十ｍと大きい平面円形をしたサークル水路４０１を幅１〜３あるいは５ｍのもとに連通状に形成し、その一部の底穴４０２からは外部に抜ける出口水路４０３を連通させて全体水路を構成したものである。さらに、サークル水路４０１の中央には、基礎４０４を介して固定軸４０５を立設し、その回りに回転体４０６を軸受支持して設けるとともにその外周には四方へ伸びるように主アーム４０７を張り出してある。【００６０】  主アーム４０７の外端には、回転リング４０９を取り付けてあるとともに、同リング４０９を介する下部には、多数の下部ステー４１０を介して水車羽根４１１…が設けられてサークル水路４０１内で回転運動するようになっている。羽根４１１の外縁には、図３８の右下欄に示すように、サークル水路４０１内で水が抜けにくくしかも水路４０１に羽根４１１が干渉しないようにゴムシール４１２が取り付けられている。４１３は吊りワイヤで、固定軸４０５の上端に回転自在に軸受支持したワイヤ受盤４１４に上端を取付支持されている。固定軸４０５の回転体４０６下側には、駆動ホイール４１５が取り付けられて従動ホイール４１６との間に掛けまわされた伝導手段４１７を介して発電機４１８を駆動自在に構成してある。固定軸４０５他の全体は、図３８に矢印Ｓの方向に下げ傾斜面に従う傾斜姿勢で設置して、勢いを保つ水の流れエネルギーを羽根４１１に有効に当て付けるように構成することもできる。【００６１】  図３７の矢印Ｐのように水路４００から流れくる水がサークル水路４０１内に接線方向に入ると水車羽根４１１…を駆動して水車全体を矢印Ｒ方向に回転駆動するようになる。そのままではサークル水路４０１内で滞るので底穴４０２から出口水路４０３へと抜き出すようにしてある。水車全体が回転駆動されることで発電が可能になる。４１９は補強枠で、主アーム４０７を補強・構築する。【００６２】  こうした発電装置において、前記サークル水路４０１は、水入り口および出口に相当する部分を除いて、Ｕ字（Ｖ字や角型などでもよい）形で全体が短い円弧状をした本体ａと、その両端に設けた接合フランジｂとでなる接合型溝ユニット４２１の接合により構成されている。この溝ユニット４２１は、ＦＲＰやコンクリート、あるいは木やビニール樹脂などで一体形成することができる。【００６３】  尚、主アーム４０７の撓みを少なくするため、図３９に示すように、サークル型をした補助溝４２３を設けてアーム４０７からのフロート４２４を浮かせて浮力を得るようにしてもよい。
また、サークル型をしたガイドレール４２５上を走行するようなローラー４２６を主アーム４０７に備えて支持するようにすることもできる。この場合、サークル水路４０１の上縁に沿ってローラー４２６を走行支持させるようにしてもよい。
さらに、図３８の右上欄に示すように、水車羽根４１１は球体（球殻も含む）４２７としてもよく、また、その右欄に示すように半球体４２８としたり判球殻型にしてもよい。【００６４】  図４０および図４１は、河川４３０内での水車式発電装置についての実施形態を示す。
同装置は、河川４３０内に垂直な角型固定支柱４３１を介して水位追従式に設置されている。固定支柱４３１は、河川４３０の幅間中央に埋設固定された基礎ブロック４３２の杭４３３に差し込まれるとともに下フランジ４３４をアンカー４３５により止め付けることにより高く伸びて固定されている。固定支柱４３１は、図４０に仮想線で示すように、一端が土手側に固定された牽きワイヤ４３６により四方から牽かれて保持されて振れなどしないようになっている。【００６５】  前記支柱４３１の回りには、四角筒状をした昇降ガイド筒４３７が回転せずに昇降自在とされるとともに、同ガイド筒４３７の外周には、内周がガイド筒４３７に適合し外周が円筒面とされた中筒４３８がガイド筒４３７とともに昇降するように設けられている。
中筒４３８の上下端外周には、フランジ４３８ａが突設されているとともに、両フランジ４３８ａ間に相当する中筒４３８の外周には、内外周面が円筒面とされた外筒４３９が中筒４３８に対して回転自在に設けられている。【００６６】  この外筒４３９の外周には、主アーム４４０が四方へ伸びて設けられているとともに、駆動ホイール４４１が設けられている。主アーム４４０の外周端を介してリング４４２が取付られるとともに、同リング４４２から垂下された複数本のステー４４３を介してゴムシール４４４付きの水車羽根４４５が取り付けられており、これら水車羽根４４５は、内外にフロート４４６…を配備して河川水面上に浮上し水位追従式のサークル水路４４７内で回転自在になっている。【００６７】  前記フランジ４３８ａからは、受台４４８が突設されて回転せず昇降のみ自在に設けられ、その上に発電機４４９が設置されるとともにその下側には従動ホイール４５０が設けられて前記駆動ホイール４４１との間に掛けられた伝導部材４５１により昇降しながらも回転を伝えるようになっている。４５２は誘導ガイド板で、河川４３０の水の流れを集めてサークル水路４４７の上流側の凹欠状の入り口４５３に接線状に河川水を導くように連通して固定されている。４５４は出口で、サークル水路４４７の下流側に凹欠状に形成されている。尚、４５５は下限ストッパ、４５６は回転止めワイヤでサークル水路４４７を土手側から引っ張って同サークル水路４４７が回転しないように規制する。【００６８】  河川水は、誘導ガイド板４５２により集められて図４０の矢印Ｇのようにサークル水路４４７内に流れ込む。これらの水はサークル水路４４７内の水車羽根４４５…を回転駆動したのち出口４５４を通じて排出される。水車羽根４４５の回転により主アーム４４０が回転するとともに外筒４３９も回転する。外筒４３９が回転すると駆動ホイール４４１が回転して伝導部材４５１を介して従動ホイール４５０を回して発電機４４９を駆動させる。【００６９】  河川の水位が変動してくると、フロート４４６によりサークル水路４４７が上下し、これが水車羽根４４５を介して外筒４３９を追従して上下させる。その間も外筒４３９は回転するので、その外周の駆動ホイール４４１も昇降しながら回転する。外筒４３９は中筒４３８と昇降ガイド筒４３７を介して固定支柱４３１に備えって昇降する。受台４４８は、回転せず昇降のみする中筒４３８に突設されているので、図４１の状態のまま昇降運動のみをし、従って、従動ホイール４５０は駆動ホイール４４１と同じ高さを保ちながら回転運動を伝えて発電が可能になる。【００７０】  尚、水車羽根４４５は、図４０に仮想線で示すように導入した水の流れをできるだけ外周寄りに導くため斜めに設けてもよい。
また、河川の水量が洪水などで激増する場合、図４１に仮想線で示すように、ハンドル４５８により駆動される引き揚げ装置４５９により装置を持ち上げて退避させるようにしてもよい。【００７１】  図４２および図４３に示す実施形態は、曝気槽等の反応槽４７５の水面４７６に浮上し浮遊するスカム（浮遊物）を除去処理するための装置で、特に、装置が可搬型であって例えば、作業員４７７により槽上に運び着けられて装置を抱え持って運転しながら槽内のスカムを吸引除去することのできる簡易可搬式のスカム除去装置（掃除機）に関する。
ここで、搬送する対象個所は、流入水路内や湖沼、海や河川などの全てを含み、対象物も浮上スカムのみでなくオイルなどの広範囲のものを含むものである。【００７２】  ４７８は装置ボディで、金属製やＦＲＰ製などで扁平円筒型の周胴部４７９と上カバー４８０および中央の抜出管４８１を備えて作られている。周胴部４７９の先方側には吸込口４８２が一定角度分をもって開口されているとともに、吸込口４８２を残すようにしてその内部には図４３に破線で示すようなフロート４８３が内周回りに備え付けられている。【００７３】  フロート４８３は、図４２に示すように、水面４７６上のスカムを吸引エアーで効果的に吸込むため数ｃｍの縦隙間を残すように規定するものである。前記抜出管４８１の下端は装置ボディ４７８内に開口され、その下端開口には、広口の吸上口４８４が取り付けられている。この吸上口４８４は、水面４７６より数ｃｍ上に開口するものである。【００７４】  ４８５は先可撓管で、抜出管４８１に接続されて装置ボディ４７８をできるだけ水平に保ちながら作業を進めることができるようにするものである。
４８６は第１管、４８７は第２管で、第１管４８６は先可撓管４８５に接続されているとともに、第１、第２両管４８６，４８７は止着具４８８により脱着自在に連結されている。
第２管４８７の基部には、吸引回収機４８９側に連通状に接続された可撓管でなる吸引管４９０が接続されている。【００７５】  吸引回収機４８９は、吸引ポンプと回収部とが内装されるとともに車輪４９１およびハンドル４９２により移動自在とされている。４９３はコードリールである。【００７６】  このスカム除去装置は図４２にその概要を示すように移送され槽上に設置された吸引回収機４８９から槽内に装置ボディ４７８を落とし込んで浮上設置するようにして運転される。ボディ４７８は、持ち上げてフロート４８３の高さを調節することによりその呑込口である吸込口４８２の高さを適宜に調節することができる。吸込口４８２の上カバー４８０底面に調節板を付して呑み込みの高さ調節をするようにしてもよい。吸引ポンプの運転に伴って同吸込口４８２からは矢印Ｓのようにスカムが吸引され、吸上口４８４・抜出管４８１・第１、第２管４８６，４８７・吸引管４９０を通じて吸引回収機４８９内にスカムが回収される。作業員４７７は、図４２のように管４８７の基部を持ってボディ４７８を水面上で動かすようにしさらに槽上を移動しながら同様の操作をすれば水面上のスカムを次々に除去回収することができる。【００７７】  尚、図４３に仮想線で示すように、ボディ４７８は平面視四角形などの角型にしてもよい。
また、ボディ４７８内は渦流を起生する手段を設けてもよい。【００７８】  図４４および図４５は、吸引ポンプ５０８を架台５０９を介して設置対象面５１０上に定置的に設置（移動可能にしてもよい）し、同ポンプ５０８に接続されたフレキシブルチューブ５１１の先端に装置本体５１２を装備して同本体５１２を水面５１３上の一定範囲で浮上しながら吸引運転するようにしてある。本体５１２は、呑込口５１４を周位複数個所に開口するボディ５１５を備えるとともに、その下部に落とし込み部５１６を有し、この落とし込み部５１６内には、フレキシブルチューブ５１１に接続された吸引管５１７の下部開口が吸込み可能に臨むように設定されている。吸引管５１７は落とし込み管５１６内で数ｃｍ偏心しているが同心にしてもよい。【００７９】  ５１８はフロートで、落とし込み部５１６から張り出すステー５１９を介して設けられた四角枠状の外フレーム５２０に備えたフロート軸５２１を介して高さ調節可能に設けられている。この装置は、定置浮上式であるが、フレキシブルチューブ５１１の変形の許す一定範囲で移動可能であり、呑込口５１４を通じて呑込まれたスカム水は落とし込み部５１６内の吸揚ポンプＰから吸引管５１７を通じてチューブ５１１からポンプ５０８へと導かれて排除される。尚、５２２は渦流起生フィン、５２３は補助フロートである。【００８０】  こうしたスカム除去装置では、吸揚ポンプＰによる吸引・除去運転によりボディ５１５内のスカム水の流れは渦巻き流を起生しながら強制化されるものの、ボディ５１５の外域でのスカムの誘引は消極的なものである。【００８１】  そこで、この実施形態では、前記外域でのスカムの流れを積極的なものにして呑込口５１４…まで送り込むようにするため、外フレーム５２０から四方へパイプステー５２５…を突設して装置外周を廻るように送水パイプ５２６を備え付けるとともに、このパイプ５２６の適所に、スカムを呑込口５１４…へと追いやるようなノズル５２７…を配備したものである。【００８２】  送水パイプ５２６への水の供給は、吸引ポンプ５０８からのスカム水排出管５２８の経路途中と同パイプ５２６とをストップ弁５２９を介して給水チューブ５３０で接続することによりなされる。排出管５２８の一部を曲がり部５３１としてその手前から給水チューブ５３０へ給水できるようにしてもよい。【００８３】  また、前記実施形態では、上方のフレキシブルチューブ５１１を経由してスカム水を導くようにしてあったが、図４Ｓに仮想線ルートで示すポンプＰから下回りを通じて吸引ポンプ５０８へとチューブ５３２により導くようにし、その中途からストップバルブ５３３を介してノズル５２７へ送水可能に構成してもよい。スカム水の排出経路のより近い個所から送水可能となる。尚、吸引ポンプ５０８は省略することもできる。また、架台５０９は、定置式であったが、槽上で自在な方向へ移動可能にしてもよい。さらに、送水パイプ５２６は、丸いリング状にしてあったが、図４４に仮想線で示すように、四角枠状のパイプ５２６にしてよりノズル位置が呑込口５１４に近くなるようにしてもよい。また、同パイプ５２６は、複数本のフロート軸５２１…をつなぐように配してもよい。この場合のパイプ５２６は四角や丸リング状とする。
前記実施形態では、スカム水の一部水を利用して送水パイプ５２６へ水送りをするようにしていたが、別途独自経路で送水するようにしてもよい。【００８４】  閉鎖性水域へ放流している下水処理場では富栄養化の防止に向けて、現状からの更なる窒素及びりんの削減が求められている。従来の標準活性汚泥法は下水中の有機物（ＢＯＤ）除去を主目的とした処理方法であり、窒素およびりんの削減には高度処理が不可欠である。
りん除去については無機凝集剤等の添加による除去が可能であるが、窒素については生物学的除去法を採用する必要がある。生物学的窒素除去法とは、流入水中のアンモニア性窒素を好気槽で硝酸菌により硝酸性窒素に硝化させ、その後、窒素ガスにまで還元して脱窒させる方法である。第１段階の硝化反応を確実に進行させるためには、反応槽の活性汚泥を高濃度化してＡ−ＳＲＴを長く保ち、硝化反応を担う硝化菌の増殖・維持を図る必要がある。しかしながら、活性汚泥の高濃度化によるＡ−ＳＲＴの長期化を行うと放線菌の増殖を促すことになり、反応槽での放線菌スカムの発生に繋がる。この放線菌は最終沈澱池に大量に発生し放流水質の悪化を招くとともに、下水処理場見学者に対して悪印象を与えることになる。また、放線菌スカムは粘着性のある浮上スカムであるため、通常のポンプ等では除去が困難であり、その解決策として次の反応槽用スカム除去装置を開発した。【００８５】  同スカム除去装置は、図４６（縦正面図）および図４７（平面図）に示し、反応槽６００内の水面６０１を境に浮設されている。ここで、水面６０１のレベルは変動する。６０２は水中架台で、同架台６０２は環状をなし、その周位３個所（３個所に限定されず４〜６個所などでもよい）には縦向き筒状をしたホルダー６０３が固着されており、このホルダー６０３からは内向きに斜め上り状をしたステー６０４の複数本が立設されるとともに、同ステー６０４を介して環状の取付座板６０５が水平面状に取り付けられている。【００８６】  同取付座板６０５の中央を介して水中ポンプ６０６が縦軸式に装備されている。このポンプ６０６は、図示しない吸込口を上向きにしてセットされ、その排出用の連通管６０７を下端からポンプ下方を経由して上方へと導いている。この連通管６０７は、図４６の右下欄に横断面を略示するようにポンプ６０６を基準にして逆サイドにあるようにしてバランスをとるようにしてある。【００８７】  水中ポンプ６０６の上部外周にはサブフロート６０８が設けられて取付座板６０５側に対し止着具６０９…により上下調節可能にセットされている。このサブフロート６０８上には、上面が開放型で底面がポンプ口を残して閉塞された浅い丸受皿状をした呑込トラフ６１０が前記止着具６０９…に支持されて水平にセットされている。【００８８】  この呑込トラフ６１０の周円部は、全体的に水面６０１下３０ｍｍ前後の呑込み高さｈとなるように装置重量と浮力のバランスで確保されるようになっている。また、同トラフ６１０の受皿内には、ポンプ吸込口へ向けて図４７において左回りの渦流を起生するように渦流起生プレート６１１…が複数枚スパイラル状に配備されている。【００８９】  前記連通管６０７には排出管６１２が接続され、同管６１２は、呑込トラフ６１０中央のポンプ吸込口中央を通って上方へ伸び、水と放線菌スカムの混合水を蛇腹ホース６１３を経由して矢印Ｘのように槽外に排出するように構成されている。排出管６１２の水面６０１上に対応する外周高さには、下端開放型のカバー６１４が取り付けられ、同カバー６１４の下端開口は水面６０１の高さに対応する一方装置が下降動作するような場合にはカバー６１４が下降をブレーキングするために機能し��装置の安定化させる。【００９０】  一方、前記水中架台６０２のホルダー６０３には、垂直なフロート軸６１６…が高さ調節自在に取り付けられ、その下部外周にはウエイト（あるいは補助フロート）６１７…が取り付けられている。フロート軸６１６の上部には、周方向に３個のメインフロート６１８…が高さ調節自在にセットされている。フロート軸６１６の上端には、吊り上げ用のアイナット６１９がねじ込まれているとともに丸環状をなす内散水パイプ６２０がステー６２１を介して装置に同心状に取り付けられている。【００９１】  前記内散水パイプ６２０への給水は、前記排出管６１２の途中に接続された第１給水パイプ６２２によりなされる。６２３は第１取出弁である。
内散水パイプ６２０には、３個所の内向き散水ノズル６２４…と異なる位置に３個所の放射散水ノズル６２５…が配備されて、内向き散水ノズル６２４からは図４７の装置中心Ｏｃ向きである矢印Ｙ方向に、放射散水ノズル６２５からは矢印Ｚ方向の放射流を放射するようになっている。【００９２】  尚、内散水パイプ６２０の外周には、同心状に外散水パイプ６２７を同じ高さに装備して第２取出弁６２８付き第２給水パイプ６２９を経由して排出管６１２からの水を供給するようにしてもよい。この場合、同パイプ６２７には、内向き散水ノズル６３０…を配備するが、このノズル６３０…は内散水パイプ６２０に配備した内向き散水ノズル６２４と放射散水ノズル６２５の間を通じて散水するようにする。外側のノズル６３０と内側のノズル６２４，６２５とは周方向において同じ位相のところに配置すれば内外に散水の勢いが重なって粘着性の高いスカム送りが効果的になされる。【００９３】  本装置は、水中ポンプ６０６や連通管６０７および排出管６１２、さらに水中架台６０２、内散水パイプ６２０や給水パイプ６２２、ウエイト６１７やカバー６１４などによる重量に対し、メインフロート６１８およびサブフロート６０８の浮力調節がなされて呑込み高さｈが好適に規定される。水面６０１上には、放線菌スカムが粘着性の高いものも混じって浮遊しており、これらスカムは、装置外周からの散水により装置求心方向へ送り込まれて呑込トラフ６１０内に水とともに流れ込む。その際、水中ポンプ６０６の吸込み作動とともに渦流起生プレート６１１によりスカム水が渦巻流となって効果的にポンプ６０６に吸込まれる。尚、本装置は、装置全体を重量化する一方で浮力を大きく作用させてあるので、ポンプ６０６が吸込停止した際の反作用に伴うバウンドが小幅に抑えられ装置の安定化が図れるようになっている。【００９４】  尚、散水方式に代えてあるいは散水方式とともに、図４６に矢印Ｈで示すような水中集束流によりスカムを送り寄せるようにしてもよい。この場合、超音波方式を併用することもできる。
また、図４７に仮想線で示すように、内散水パイプは６２０′のように三角形などの多角形にしてもよい。この場合、三角形の頂点個所には丸味Ｒをもたせて送水が滞りなく円滑に行えるようにするとともに三角形の中間位置に設けられる内向き散水ノズル６２４が呑込トラフ６１０のより外回りに位置してスカムの送り込みに適した位置を確保できるようにすることができる。同内散水パイプは、四角形を基本とするものでもよい。
さらに、内散水パイプは図４７に仮想線で示すように、六角形（図では一部のみを示す）にすることもできる。その頂点位置に内散水ノズル６２４や放射散水ノズル６２５を配すことができる。この六角形の内散水パイプの場合も、頂点個所にＲ部分を形成する。【００９５】  また、前記実施形態では、排出途上のスカム水の一部を散水用としたが、散水用水としてはフィルターあるいはストレーナを介装してスカムと分離するようにしてもよい。
さらに、前記実施形態では、排出途上のスカム水の一部を散水用としたが、工業用水を専用水として供給するようにしてもよい。
また、図４６の右上欄に示すように、メインフロート６１８の上部には径大段差部６１８ａを設けて水面上下に対応させることにより装置のバウンド作用を抑制するブレーキング機能をもたせるようにしてもよい。【００９６】  図４８および図４９は他の実施形態を示す。同実施形態は、呑込トラフ６３２の外周縁部を、前記実施形態のような立ち上がり部分６３３と複数個所の切欠状呑み込み部分６３４とで構成してもよい。この場合、呑み込み部分６３４と内散水ノズル６３５とを対応位置させる。
また、立ち上がり部分６３３の外周にはスカムが溜まり勝ちになることも想定され、その場合の対策として、流れａ、ａを起生するノズルを内散水ノズルに別途配備してもよい。【００９７】  図５０は他の実施形態を示す。同実施形態は、反応槽６３８内に前記したスカム除去装置（符号は図４６および４８のものを付す）を設置し、同反応槽６３８内上方に張った吊りワイヤ６３９の複数本をアイナット６１９に通して図の左右方向に移設可能に吊持支持したもので、そうした装置を反応槽６３８内で外周に間隔を残して配し、そのうえで、同間隔の水域にスカム微細化送りユニット６４０を配備してコーナー流れガイド６４１…による流れ制御とともに反応槽６３８内の装置外回りに微細化したスカムを流してその終端に対向するスカム水呑込排出装置６４２で槽外に排出処理できるようにしたものである。【００９８】  微細化されたスカムが周回する間、前記ノズル６３０、６２４によりスカムを呑込トラフ６１０の方向へ送りやり、同装置からもスカムを排出できるようにしてある。
前記スカム微細化送りユニット６４０は、この実施形態ではスクリュウ刃６４３を備えてスカムを吸込んで送りながら刃で微細化して送り出すようにするとともにその出口６４４手前に超音波微細化装置６４５を内装して更にスカムを微細化するものである。このユニット６４０は他の個所に配備してもよい。また、超音波微細化装置６４５も他の個所に配備してもよい。
さらに、ガイド６４１は、１／４円形部分６４１ａのみでなく斜め直線ガイド部分６４１ｂを組み合わせたもので、微細化されたスカムが流れやすいような形になっている。
また、スカム水呑込排出装置６４２からのスカム水はスカム・水分離装置６４６内に導かれて分離処理されたのち、バイオ分解処理装置６４７に導かれて分解処理される。
さらに、前記ワイヤ６３９の１本には水中ポンプ駆動のための配電コードを巻回伸縮式で装備することができる。また、図４６に示すように、内側のノズル６２４は垂直線を基準にして内向きに３０度前後傾斜して比較的近傍域のスカムを呑込トラフ６１０へ送るようにされ、外側のノズル６３０は垂直線を基準にして内向きに４５前後傾斜して比較的広い水域のスカムを水平方向に誘導するようにされ、それぞれはＹ、Ｙ′のように散水するものとされているが、この角度は限定されない。
【図面の簡単な説明】
【００９９】
【図１】本発明の一実施形態を示す平面図。
【図２】図１のＩＩ方向からの矢視図。
【図３】他の実施形態を示す平面図。
【図４】図３のＩＶ−ＩＶ線断面図。
【図５】他の実施形態を示す平面図。
【図６】図５の正面図。
【図７】他の実施形態を示す平面図。
【図８】他の実施形態を示す正面図。
【図９】図８のＩＸ−ＩＸ線断面図。
【図１０】図８のＸ−Ｘ線断面図。
【図１１】他の実施形態を示す平面図。
【図１２】他の実施形態を示す平面図。
【図１３】図１２の縦断面図。
【図１４】他の実施形態を示す平面図。
【図１５】図１４のＢ−Ｂ線断面図。
【図１６】図１４のＣ−Ｃ線断面図。
【図１７】付加的な提案例を示す横断面図。
【図１８】図１７の縦断面図。
【図１９】他の提案例を示す正面図。
【図２０】他の提案例を示す平面図。
【図２１】図２０の縦断正面図。
【図２２】他の提案例を示す平面図。
【図２３】図２２の縦断正面図。
【図２４】他の提案例を示す縦断面図。
【図２５】他の提案例を示す縦断面図。
【図２６】他の提案例を示す縦断面図。
【図２７】他の提案例を示す縦断面図。
【図２８】他の提案例を示す縦断面図。
【図２９】他の付加的提案例を示す正面図。
【図３０】図２９の正面図。
【図３１】他の付加的提案例を示す正面図。
【図３２】他の実施形態を示す平面図。
【図３３】図３２の縦断面図。
【図３４】他の提案例を示す斜視図。
【図３５】図３４の例の詳細を示す縦断面図。
【図３６】他の提案例を示す斜視図。
【図３７】他の提案例を示す正面図。
【図３８】水車式発電装置の他の実施形態を示す平面図。
【図３９】図３８のＨ−Ｈ線断面図。
【図４０】河川設置の水車式発電装置の他の実施形態を示す平面図。
【図４１】図４０の横断面図。
【図４２】他の実施形態を示す側断面図。
【図４３】図２２の装置ボディを示す斜視図。
【図４４】他の実施形態を示す平面図。
【図４５】図４４の縦断面図。
【図４６】他の実施形態を示す縦側面図。
【図４７】図４６の装置の横断面図。
【図４８】他の実施形態を示す横断面図。
【図４９】図４８の側面図。
【図５０】他の実施形態を示す平面図。
【符号の説明】
【０１００】  １…曝気槽  ２，３…流出口  ４，５…ガイド  ８…支持梁  １７…水車  １９…水車羽根。
【図１】
2008133819.tif 000003
【図２】
2008133819.tif 000004
【図３】
2008133819.tif 000005
【図４】
2008133819.tif 000006
【図５】
2008133819.tif 000007
【図６】
2008133819.tif 000008
【図７】
2008133819.tif 000009
【図８】
2008133819.tif 000010
【図９】
2008133819.tif 000011
【図１０】
2008133819.tif 000012
【図１１】
2008133819.tif 000013
【図１２】
2008133819.tif 000014
【図１３】
2008133819.tif 000015
【図１４】
2008133819.tif 000016
【図１５】
2008133819.tif 000017
【図１６】
2008133819.tif 000018
【図１７】
2008133819.tif 000019
【図１８】
2008133819.tif 000020
【図１９】
2008133819.tif 000021
【図２０】
2008133819.tif 000022
【図２１】
2008133819.tif 000023
【図２２】
2008133819.tif 000024
【図２３】
2008133819.tif 000025
【図２４】
2008133819.tif 000026
【図２５】
2008133819.tif 000027
【図２６】
2008133819.tif 000028
【図２７】
2008133819.tif 000029
【図２８】
2008133819.tif 000030
【図２９】
2008133819.tif 000031
【図３０】
2008133819.tif 000032
【図３１】
2008133819.tif 000033
【図３２】
2008133819.tif 000034
【図３３】
2008133819.tif 000035
【図３４】
2008133819.tif 000036
【図３５】
2008133819.tif 000037
【図３６】
2008133819.tif 000038
【図３７】
2008133819.tif 000039
【図３８】
2008133819.tif 000040
【図３９】
2008133819.tif 000041
【図４０】
2008133819.tif 000042
【図４１】
2008133819.tif 000043
【図４２】
2008133819.tif 000044
【図４３】
2008133819.tif 000045
【図４４】
2008133819.tif 000046
【図４５】
2008133819.tif 000047
【図４６】
2008133819.tif 000048
【図４７】
2008133819.tif 000049
【図４８】
2008133819.tif 000050
【図４９】
2008133819.tif 000051
【図５０】
2008133819.tif 000052